(57)【要約】      （修正有）【課題】操作性を損なうことなく、スライドチルト機構の簡素化と、動作性の向上を図り、幅広い用途に適用できるスライドチルトヒンジ及びスライドチルド装置を提供する。【解決手段】固定スライダ２０と、固定スライダに対し、可動スライダ１０が固定スライダに沿ってスライドするスライド機構において、固定スライダ両端部にチルト機構が形成されていることを特徴し、また、チルト機構は、弾性部材を有し、固定スライダをチルト方向に加圧していることを特徴とするスライドチルトヒンジ１。また、第１筐体に固定スライダを装着し、第２筐体に可動スライダを装着した筐体において、固定スライダ両端部にチルト機構が形成されていることを特徴とする。スライドチルトヒンジを備えたスライドチルト装置である。【選択図】図１
0003188503.tif 000002
【実用新案登録請求の範囲】
【請求項１】
固定スライダと、
前記固定スライダに対し、可動スライダが前記固定スライダに沿ってスライドするスライド機構において、
前記固定スライダ両端部にチルト機構が形成されていることを特徴とするスライドチルトヒンジ。
【請求項２】
前記チルト機構は、弾性部材を有し、前記固定スライダをチルト方向に加圧していることを特徴とする請求項１記載のスライドチルトヒンジ。
【請求項３】
第１筐体（下筐体）に固定スライダを装着し、第２筐体（上筐体）に可動スライダを装着した筐体において、前記固定スライダ両端部に前記チルト機構が形成されていることを特徴とする請求項１又は請求項２に記載のスライドチルトヒンジを備えたスライドチルト装置。
【請求項４】
前記第１筐体に装着された前記固定スライダの前記チルト機構において、前記第１筐体に前記チルト機構を装着するためのチルト機構収納部と、チルト時のチルト角度に合わせたチルト時筐体収納部を設けたことを特徴とする請求項３に記載のスライドチルトヒンジを備えたスライドチルト装置
【請求項５】
前記スライド機構において、前記固定スライダに設けたスライド保持部材が、スライド完了後、前記可動スライダ（第２筐体）より露出していることを特徴とする請求項３又は請求項４に記載のスライドチルトヒンジを備えたスライドチルト装置
【請求項６】
前記チルト機構を構成するチルトプレート当接面の角度が、チルト時の角度であることを特徴とする請求項１〜請求項５いずれか一に記載のスライドチルトヒンジを備えたスライドチルト装置。
【考案の詳細な説明】
【技術分野】
【０００１】  本考案は、スライドチルトヒンジに関する。特に、スライド機構にチルト機構を設けたスライドチルトヒンジ及びスライドチルト装置に関する。
【背景技術】
【０００２】  上下筐体を構成する筐体の下筐体に対して、上筐体部をスライド動作させ、スライド動作が完了時、上筐体部が立ち上がる（チルト）ヒンジがある。このようにスライド機構とチルト機構とを備えたものとしては、例えば、下記特許文献に開示された機構がある。【０００３】  従来、電子端末では、下筐体にテンキーを配置し、上筐体には液晶表示装置等が配置された構成を採用することにより、上筐体部を全て液晶表示装置として確保する事と共に、下筐体部には、テンキーを配置し、テンキーが必要な場合のみ、上筐体をスライド動作させ、テンキーを使用する端末が一般的であった。【０００４】  しかし、デジタル放送が開始された後、デジタル放送の映像を長時間にわたり視聴するような場合があり、水平にスライドする機構のみでは、手に持って視聴し易い角度を確保しなければならなかった。【０００５】  このため、特許文献１に示されるように、上筐体に搭載している液晶表示装置を視聴し易い角度とするチルト機構を設け、長時間の視聴でも、視認性の良い機構を提供している。
【先行技術文献】
【特許文献】
【０００６】
【特許文献１】特開２０１１−１１９８７９号公報
【考案の概要】
【考案が解決しようとする課題】
【０００７】  しかしながら、従来の電子端末等におけるスライド機構とチルト機構とを連動する機構は、動作性を重視することにより、構成が複雑となり、部品点数も多く、また、大型になる為、スライドチルト機構を必要とする小型な端末及び装置等で使用するには改善の余地があった。【０００８】  そこで、本考案が解決しようとする課題は、スライドチルト機構の簡素化により、小型な装置にスライド及びチルト機構を装着できるようにしたスライドチルトヒンジを提供することを目的とする。
【課題を解決するための手段】
【０００９】  上記目的を達成するため請求項１に記載された考案は、固定スライダと、前記固定スライダに対し、可動スライダが前記固定スライダに沿ってスライドするスライド機構において、前記固定スライダ両端部にチルト機構が形成されていることを特徴とする。
固定スライダに設けたチルト機構は、主要３部品で構成され、従来達成することができなかった部品点数にて構成されている。【００１０】  上記目的を達成するため請求項２に記載された考案は、前記チルト機構に弾性部材を有し、前記固定スライダをチルト方向に加圧していることを特徴とする。
チルト機構内に弾性部材を配置することにより、スライド中に可動スライダが常にチルトする方向に力が働いているが、可動スライダに抑制されている。しかし、スライド動作完了後、可動スライダによる抑制が無くなり、チルト機構が自動的に動作しチルトする。【００１１】  上記目的を達成するため請求項３に記載された考案は、第１筐体（下筐体）に前記固定スライダを装着し、第２筐体（上筐体）に前記可動スライダを装着した筐体において、前記固定スライダ両端部に前記チルト機構が形成されている。
スライドチルトヒンジを上下筐体に装着する場合、固定スライダのチルトプレートにより下筐体に、また可動スライダは上筐体に組み付けられる。【００１２】  上記目的を達成するため請求項４に記載された考案は、前記第１筐体に装着された前記固定スライダの前記チルト機構において、前記第１筐体に前記チルト機構を装着するためのチルト機構収納部と、チルト時のチルト角度に合わせ、チルト時筐体収納部を設けたことを特徴とする。
チルト機構のチルト機構収納部は、スライド完了時、前記第１筐体（下筐体）開口部を最大限利用するため、省スペース化されており、前記第２筐体（上筐体）がチルト時、その角度に適した切り欠き部をチルト時筐体収納部として設けることにより、最大限の開口部（軸方向に対する垂直方向＝筐体幅方向）を確保している。【００１３】  上記目的を達成するため請求項５に記載された考案は、前記スライド機構において、前記固定スライダに設けたスライド保持部材が、スライド完了後、前記可動スライダ（第２筐体）より露出している構成を特徴とする。
固定スライダに設けられた、スライド保持部材をスライド方向に長くすることにより、スライド動作時のガタツキや、引っ掛かりを改善することができ、スムーズなスライド動作を行うことができる。また、保持部材の長さを確保するため、可動スライダから飛び出す位置まで延長し、長さを確保したことを特徴としている。【００１４】  上記目的を達成するため請求項６に記載された考案は、前記チルト機構を構成するチルトプレートの当接面の角度が、チルト時の角度であることを特徴とする。
チルト機構のチルト支持部材であるチルトプレートの当接面の傾斜角度を調整することにより、所望のチルト角度を容易に構成することができる。
【考案の効果】
【００１５】  以上、請求項１から請求項７までの考案によれば、スライドチルト機構の機能を維持し、構成部品を必要最小限としたスライドチルトヒンジ及びスライド装置である。また本考案のスライドチルト装置は、前記第１筐体（下筐体）に対して、前記第２筐体（上筐体）を軸方向にスライドさせ、スライド動作が完了時に下筐体の開口部面積を最大限に確保できるスライドチルトヒンジ及びスライドチルト装置を提供することができる。
【図面の簡単な説明】
【００１６】
【図１】本考案の一実施形態であるスライドチルトヒンジの分解斜視図である。固定スライダ及びチルト機構の部位を（Ａ）及び（Ｂ）に示している。可動スライダと固定スライダの断面図を（Ｃ）及び（Ｄ）に示した図である。
【図２】本考案を搭載した筐体の一実施形態であり、閉じ時のスライドチルトヒンジ及びスライドチルト装置の斜視図（Ａ）、側面図（Ｂ）である。
【図３】本考案を搭載した筐体の一実施形態であり、スライド動作開き時のスライドチルトヒンジ及びスライドチルト装置の斜視図（Ａ）、側面図（Ｂ）である。
【図４】本考案を搭載した筐体の一実施形態であり、チルト機構動作時のスライドチルトヒンジ及びスライドチルト装置の斜視図（Ａ）、側面図（Ｂ）である。
【図５】本考案の一実施形態であるチルト機構動作角度を示した側面図である。
【図６】本考案の一実施形態であるスライド保持部材の一部（Ａ）拡大した斜視図である。筐体スライド動作開き時のスライド保持部材の状態（Ｂ）を示した拡大図である下筐体に設けられたチルト機構収納部（Ｃ）を示した拡大図である。
【考案を実施するための形態】
【００１７】  本考案の実施の形態を図面に基づいて説明する。
図１は、本考案の実施形態であるスライドチルトヒンジの分解斜視図である。
本スライドチルトヒンジ１は、可動スライダ１０、固定スライダ２０、トーションスプリング６０ａ、６０ｂ、チルトスプリング４０ａ、４０ｂ、チルトピン５０ａ、５０ｂにより構成されている。
【００１８】  可動スライダ１０に、トーションスプリング６０ａ、６０ｂの端部が固定され、もう一方の端部は固定スライダ２０に固定されている。また、可動スライダ１０には、固定スライダ２０のスライド側両端面部には図１（Ｃ）、（Ｄ）の断面図の如く、コの字型の折曲部が形成され、可動スライダ１０の両端部に、前記コの字型の折曲部が嵌め、組み付けられている。
【００１９】  固定スライダ端部（Ａ）には、チルトプレート３０ａ、チルトスプリング４０ａ、チルトピン５０ａによりチルト機構が構成されている。チルトプレート３０ａには、チルトスプリング４０ａが組み込まれ、常にチルトする方向（可動スライダが立ち上がる方向）にスプリングの荷重が掛かるように装着される。その固定方法は、固定スライダ２０の端部に形成された凸部に、チルトプレート３０ａとチルトスプリング４０ａをチルトピン５０ａにより貫通させ組み付けられている。
【００２０】  固定スライダ端部（Ｂ）は、（Ａ）と同様に、チルトプレート３０ｂ、チルトスプリング４０ｂ、チルトピン５０ｂによりチルト機構が構成されている。チルトプレート３０ｂには、チルトスプリング４０ｂが組み込まれ、常にチルトする方向（可動スライダが立ち上がる方向）にスプリングの荷重が掛かるように装着される。その固定方法は、上記（Ａ）と同様な方法で組み付けられている。
【００２１】  図５は、チルト機構のチルト時の角度を決めているチルトプレート３０ａ、３０ｂの当接面３１は、略３５度の角度３２の場合を図５（Ａ）、略７０度の角度３２の場合を図５（Ｂ）に示す。
【００２２】  次に、上記構成のスライドチルトヒンジ１を筐体に取付した実施例について説明する。
図２から図４は、スライドチルト装置２の主要動作を３段階に分けて説明するための図である。
【００２３】  図２から図４は、スライドチルト装置２とスライドチルトヒンジ１の動作状態を同時に示した図である。
下筐体２１０に、固定スライダー２０が組み付けられ、上筐体１１０に可動スライダー１０が組み付けられている。
【００２４】  図２（Ａ）及び（Ｂ）は、スライドチルト装置２が閉じた状態を示している。本状態では、上筐体１１０と下筐体２１０とが重なっており、スライド動作を行う前の状態である。スライドチルトヒンジ１に組み付けられたトーションスプリング６０ａ、６０ｂは、閉じ状態時、スライド方向（開く方向）とは反対の荷重が掛かり、下筐体２１０に対して上筐体１１０を開く方向に押し込まないとスライド動作に移行しない。
【００２５】  また、チルト動作は、固定スライダ２０の両端に組み込まれたチルト機構、図１（Ａ）、（Ｂ）として構成されており、下筐体２１０のチルト機構収納部７１に固定スライダ２０のチルトプレート３０ａ、３０ｂが固定されている。図２で示した閉じられた状態では、上筐体１１０がスライド前の状態であるため、可動スライダ１０及び上筐体１１０がチルト機構を抑制しており、上筐体１１０は、チルトせず閉じ状態が保持されている。
【００２６】  図３（Ａ）及び（Ｂ）はスライド動作が実施され、筐体が開いた状態を示している。本状態は、上筐体１１０に組み付けられた可動スライダ１０が、下筐体２１０に組み付けられた固定スライダ２０に対して、スライド方向に移動し、開ききった状態である。
【００２７】  図２の閉じ状態から、図３の開き状態となる間のトーションスプリング６０ａ、６０ｂの荷重方向は、閉じ状態時ではスライド方向とは逆の閉じる方向に荷重が掛かり、閉じ状態を維持していたが、スライド方向（開く方向）に押され、移動する過程において、荷重方向が逆転し、スライド開き方向への荷重へと切り替わり、スライドの途中から、スライド方向へアシストされる荷重方向となる。この切り替わるタイミングは、トーションスプリング６０ａ、６０ｂの取付位置により調整可能である。
【００２８】  また、上記スライド動作に対して、チルト機構の動作はスライド動作完了（開ききる）までチルト機構は、可動スライダ及び、上筐体により抑制された状態が維持されている。但し本動作は、一連の連続した動作となるため、チルト動作状態については図４にて説明する。
【００２９】  図４（Ａ）及び（Ｂ）は、スライド動作完了後に、上筐体１１０がチルトした状態であり、チルト機構が動作した状態を示している。
図３のスライド動作が完了した時点で、チルト機構が作動し、可動スライダ１０に組み付けられた上筐体１１０がチルトする。
【００３０】  チルト機構の動作を説明する。図２の状態は、可動スライダ１０及び、上筐体１１０により、チルト機構が抑制されいる状態である。図３は、スライド動作が完了（開ききる）した状態であり、チルト機構が動作する直前の状態である。図４は、チルト機構を抑制している可動スライダ１０及び上筐体１１０がチルト機構の抑制領域から外れ、チルト機構が作動し、上筐体１１０（可動スライダ１０及び固定スライダ２０含む）が所定の角度にてチルトした状態である。
【００３１】  なお、チルト機構動作時の上筐体１１０と下筐体２１０の関係は、固定スライダに設けられたチルト機構のチルトプレート３０ａ、３０ｂが、下筐体２１０に設けられたチルト機構収納部７１底部に固定されており、上筐体１１０と下筐体２１０とが連結されている。
【００３２】  以上の説明で、スライドチルト装置の初期状態（閉じ状態）から、スライド動作を経てチルト動作に至る状態を図２から図４にて説明した。本スライドチルト装置では、スライド動作からチルト動作が完了する一連の動作は、連続した動作となる。
【００３３】  本スライドチルトヒンジのチルト機構は、図１（Ａ）、（Ｂ）に示している通り、主要部品であるチルトプレート、チルトスプリング、チルトピンの３部品で構成され、固定スライダ２０の両端部に組み付けられ、チルト機構を構成している。この構成は最小限の構成でチルト機構を構成している。
【００３４】  更に、下筐体２１０には、チルト時上筐体収納部７０（切り欠き部）を形成することにより、チルト動作完了後、下筐体２１０のスライド軸方向に対して９０度違いの方向において、上筐体１１０の幅が、下筐体２１０の幅と同一幅とすることができる。
【００３５】  また、スライド動作を安定化させるため、固定スライダ２０に設けた図６（Ａ）スライド保持部材８０の形状をスライド方向に長くした形状としている。本形状を、図６（Ｂ）に示しているが、上筐体１１０が開ききった状態において、スライド保持部材８０が露出することで長さを確保することにより、上筐体１１０を片側のみを押し込んだ場合、スライド時のガタつきを最小限とすることができ、スライド動作を安定させ、スムーズな動きが得られる。なお、スライド保持部材８０の形状は、できる限り軸方向の長さを確保することが望ましい。
【００３６】  また、上筐体１１０のスライド量を確保するため、固定スライダ２０のプレート幅（軸方向）を細くすることによりスライド量を増やすことができる。
本構成により、電子端末に装着した場合は、スライド動作完了時（チルト動作時含む）、下筐体２１０の開口部面積を最大限確保でき、キーボードを配置を最大に確保することが可能となり、キー操作を向上させることができる。
【００３７】  その他の形態として、化粧品用のケースに採用した場合は、鏡を上筐体１１０に取付、下筐体２１０の開口部には、化粧品等を搭載するスペースを提供することができる。
【産業上の利用可能性】
【００３８】本考案のスライドチルトヒンジ及びスライドチルト装置は、主に電子端末用として説明してきたが、その用途はいろいろあり、たとえば、化粧品用のケースとしても良く、スライドチルト装置として、求められる用途を上筐体１１０に配置することができる。また、下筐体２１０には、操作ボタン（キーボード含む）、小物入れ（化粧品類含む）等を配置することができる。【００３９】  また、本考案のスライドチルトヒンジを構成する可動スライダ１０及び固定スライダ２０の材質は、金属及び樹脂材料を用途により選択し、適切な材料とすることが望ましい。【００４０】  以上のように、本考案によればスライドチルトヒンジを構成する上で、これまでになく少ない部品点数で構成され、信頼性の高いスライドチルトヒンジを提供することができる。
また、本スライドチルトヒンジの装着に関して、電子端末以外の転用が可能であり、産業上の効果は極めて大きい考案である。
【符号の説明】
【００４１】１    スライドチルトヒンジ
２    スライドチルド装置
１０  可動スライダ
２０  固定スライダ
３０ａ、３０ｂ  チルトプレート
３１  チルトプレート当接面
３２  チルト角度
４０ａ、４０ｂ  チルトスプリング
５０ａ、５０ｂ  チルトピン
６０ａ、６０ｂ  トーションスプリング
７０  チルト時筐体収納部
７１  チルト機構収納部
８０  スライド保持部材
１１０  上筐体（第２筐体）
２１０  下筐体（第１筐体）
【図１】
0003188503.tif 000003
【図２】
0003188503.tif 000004
【図３】
0003188503.tif 000005
【図４】
0003188503.tif 000006
【図５】
0003188503.tif 000007
【図６】
0003188503.tif 000008
【手続補正書】
【提出日】平成25年11月1日(2013.11.1)
【手続補正１】
【補正対象書類名】実用新案登録請求の範囲
【補正対象項目名】全文
【補正方法】変更
【補正の内容】
【実用新案登録請求の範囲】
【請求項１】
固定スライダと、前記固定スライダに対し、可動スライダが前記固定スライダに沿ってスライドするスライド機構において、前記固定スライダ両端部にチルト機構が形成されていることを特徴とするスライドチルトヒンジ。
【請求項２】
前記チルト機構は、弾性部材を有し、前記固定スライダをチルト方向に加圧していることを特徴とする請求項１記載のスライドチルトヒンジ。
【請求項３】
第１筐体に固定スライダを装着し、第２筐体に可動スライダを装着した筐体において、前記固定スライダ両端部に前記チルト機構が形成されていることを特徴とする請求項１又は請求項２に記載のスライドチルトヒンジを備えたスライドチルト装置。
【請求項４】
前記第１筐体に装着された前記固定スライダの前記チルト機構において、前記第１筐体に前記チルト機構を装着するためのチルト機構収納部と、チルト時のチルト角度に合わせたチルト時筐体収納部を設けたことを特徴とする請求項３に記載のスライドチルトヒンジを備えたスライドチルト装置
【請求項５】
前記スライド機構において、前記固定スライダに設けたスライド保持部材が、スライド動作完了後、前記第２筐体より露出していることを特徴とする請求項３又は請求項４に記載のスライドチルトヒンジを備えたスライドチルト装置
【請求項６】
前記チルト機構を構成するチルトプレート当接面の角度が、チルト時の角度であることを特徴とする請求項３又は請求項４又は請求項５に記載のスライドチルトヒンジを備えたスライドチルト装置。